(57)【要約】      （修正有）【課題】ミリメートル規模でのパターンなど、精密に堆積されたコーティングで、ケラチン材料、特に皮膚または唇を覆う方法を提供する。【解決手段】転写面と、転写面によって支持されかつ少なくとも１つのデジタルプリンタを使用して印刷することによって得られた少なくとも１種の化粧品用着色インクのコートと、を有するメイクアップデバイスを使用して、ヒトケラチン材料の領域Ｐをメイクアップするためのプロセスであって、着色インクはケラチン材料に施与されることが意図され、このプロセスは、メイクアップされる領域にインクのコートを接触させて配置することによって、化粧品用インクのコートの少なくとも一部分を、メイクアップされる領域上に転写するステップと、メイクアップされるケラチン材料の領域上に、被膜形成ポリマーを含む少なくとも１種の組成物を施与することによって、保護コーティング８を形成するステップと、を含む。【選択図】図６
2020075145.tif 000002
【特許請求の範囲】
【請求項１】
転写面（３）と、前記転写面（３）によって支持されかつ少なくとも１つのデジタルプリンタを使用して印刷することによって得られた少なくとも１種の化粧品用着色インクのコート（４）と、を有するメイクアップデバイス（１、１’）を使用して、ヒトケラチン材料の領域（Ｐ）をメイクアップするためのプロセスであって、前記着色インクは前記ケラチン材料（Ｐ）に施与されることが意図され、前記プロセスは、
−  メイクアップされる前記領域（Ｐ）に前記インクのコート（４）を接触させて配置することによって、前記化粧品用インクのコート（４）の少なくとも一部分を、メイクアップされる前記領域（Ｐ）上に転写するステップと、その後、
−  メイクアップされるケラチン材料の前記領域（Ｐ）上に、被膜形成ポリマーを含む少なくとも１種の組成物を施与することによって、保護コーティング（８）を形成するステップと、を含むプロセス。
【請求項２】
前記保護コーティング（８）が透明である、請求項１に記載のプロセス。
【請求項３】
前記インクのコート（４）が転写された後、前記転写面（３）を前記ヒトケラチン材料の前記領域から離して移動させることにあるステップも含む、請求項１または２に記載のプロセス。
【請求項４】
前記組成物（Ｃ）が、水および揮発性有機溶媒から選択された溶媒を含む、請求項１から３のいずれか一項に記載のプロセス。
【請求項５】
前記被膜形成ポリマーが、前記組成物の全重量に対して０．０１重量％から２０重量％の範囲、好ましくは０．５重量％から１０重量％の範囲の固形分含量で前記組成物中に存在する、請求項１から４のいずれか一項に記載のプロセス。
【請求項６】
前記組成物（Ｃ）が、手動施与システム、特に微細なもしくは粗いブラシを使用して、または推進力によって施与される、請求項１から５のいずれか一項に記載のプロセス。
【請求項７】
前記転写面（３）が覆われることなく、かつ接着剤の層を覆うことなく、前記インクが前記転写面（３）上に堆積される、請求項１から６のいずれか一項に記載のプロセス。
【請求項８】
−  転写面（３）と、少なくとも１つのデジタルプリンタを使用して印刷することによって得られた、前記転写面によって支持される少なくとも１種の化粧品用着色インクのコート（４）と、を有する基材（２）を含む、少なくとも１つのデバイスと、
−  メイクアップされるケラチン材料の領域（Ｐ）上に保護コーティング（８）を形成することが可能な被膜形成ポリマーを含み、パッケージアセンブリ（５０）に収容される、少なくとも１種の組成物と、
を含む、請求項１から７のいずれか一項に記載のメイクアッププロセスを行うためのアセンブリ（３０）。
【請求項９】
前記基材および前記組成物が同じケースに収容される、請求項８に記載のアセンブリ。
【請求項１０】
前記保護コーティング（８）を形成するための手動施与システムも含む、請求項８または９に記載のアセンブリ。
【発明の詳細な説明】
【技術分野】
【０００１】
本発明は、転写によるメイクアップ適用例に関する。
【背景技術】
【０００２】
ミリメートル規模でのパターンなど、精密に堆積されたコーティングで、ケラチン材料、特に皮膚または唇を覆うことが求められている。
【０００３】
しかしながら、実用的で効率的な方法は存在しない。パターンを描くには長時間を要し、専門のメイクアップアーティストの介入が必要である。パッチまたはデカル転写を使用する方法は、パターンの数が限定され、またパターンを支持する支持体の折重なりを回避することが難しいので、期待外れである。この技法は、特に、顔には不適切である。顔面皮膚の動きのため、支持体には亀裂が入るようになり、したがって品質が低下しかつ非審美的な見た目上の結果をもたらす。
【０００４】
さらに、これらのパターンが生成されたら、汗もしくは雨または皮膚に触りもしくは他の可能性ある接触（衣服、毛髪など）といった単純な事実などの、様々な可能性ある攻撃要因に対して、それらの精度およびコントラストの品質を保持することが望ましい。
【０００５】
ケラチン材料上に生成されたパターンを、その後の数時間さらには数日間にわたりそのパターンの品質の利益を得るために保護することが求められている。
【０００６】
顔または唇の小さい領域または実際には全領域を覆うことが意図される、利用可能なメイクアップパターンを有することも求められている。
【０００７】
多数の参照物（ｒｅｆｅｒｅｎｃｅ）を手元に有する必要なしに使用者の特定の要求を最も良く満足させるために、様々なパターン、色、形状、および分布を各使用者に提示すること、またはさらには使用者に自身のパターンを定めるよう提示することも求められている。
【０００８】
加えて、パターンは、ケラチン材料、特に皮膚上転写されたら、比較的安定に残されることも望ましい。言い換えれば、転写の直後またはたとえば転写から１時間以内のいずれかで、生成されたパターンを劣化させることなくメイクアップ領域を特に指で触れることができることが有利である。
【０００９】
しかしながら、従来から生成されてきたメイクアップコーティングは、この点に関して満足のいく安定性を持たない可能性がある。
【００１０】
この安定性の欠如は、メイクアップパターンに高い精度が求められていないので、必ずしも問題ではない。一方、精密に堆積されたパターンの場合、転写後に得られたメイクアップは安定であることが重要である。
【００１１】
したがって、転写がその精度を完全に保つように、メイクアップされる領域を調製することが求められている。
【先行技術文献】
【特許文献】
【００１２】
【特許文献１】ＥＰ−Ａ−７４９  ７４７
【特許文献２】ＥＰ−Ａ−７４９  ７４６
【特許文献３】ＥＰ−Ａ−９２３  ９２８
【特許文献４】ＥＰ−Ａ−９３０  ０６０
【特許文献５】ＦＲ−Ａ−２  ２３２  ３０３
【特許文献６】米国特許第５  ０３２  ６７０号
【特許文献７】米国特許第４  ９９９  ４１８号
【特許文献８】米国特許第５  １０６  ９４２号
【特許文献９】米国特許第５  ０３０  ７０８号
【特許文献１０】米国特許第５  １０２  ９８０号
【特許文献１１】米国特許第５  ０４３  ３７６号
【特許文献１２】米国特許第５  １０４  ９１３号
【特許文献１３】米国特許第５  ２８１  ６５９号
【特許文献１４】米国特許第５  １９４  ４６３号
【特許文献１５】米国特許第４  ８０４  ７１９号
【特許文献１６】国際公開第９２／０７９１３号
【特許文献１７】ＥＰ  １  ０４８  ２８２
【特許文献１８】国際公開第０２／３６０８３号
【特許文献１９】ＥＰ−Ａ−１  ４１０  ７８５
【特許文献２０】ＥＰ−Ａ−９３８  ８８７
【発明の概要】
【発明が解決しようとする課題】
【００１３】
本発明は、これらの必要性のすべてまたはいくつかを満たすことを対象とする。
【課題を解決するための手段】
【００１４】
第１の態様によれば、本発明は、転写面と、この転写面によって支持されかつ少なくとも１つのデジタルプリンタを使用して印刷することによって得られた少なくとも１種の化粧品用着色インクのコートと、を有するメイクアップデバイスを使用して、ヒトケラチン材料の領域をメイクアップするためのプロセスに関し、この着色インクはケラチン材料に施与されることが意図されるものであり、
このプロセスは、下記のステップ：
−  メイクアップされる領域にインクのコートを接触させて配置することによって、化粧品用インクのコートの少なくとも一部分を、メイクアップされる領域上に転写するステップと、
−  メイクアップされるケラチン材料の領域上に、被膜形成ポリマーを含む少なくとも１種の化粧品組成物を施与することによって、保護コーティングを形成するステップと
を含む。
【００１５】
プロセスは、インクのコートが転写された後、転写面をヒトケラチン材料の領域から離して移動させることにあるステップを含んでいてもよい。
【００１６】
メイクアップ領域は、特に顔の皮膚、頭皮、爪、または唇の領域であってもよい。
【００１７】
本発明を用いて、使用者は、皮膚、唇、爪、または毛髪を均一にまたはパターンを伴って装飾および／または処理することができる。
【００１８】
プリンタを使用して印刷することによって得られた化粧品用インクのコートの使用は、標準的なメイクアップ適用例と比較した場合、有利なことに、複雑でカスタマイズ可能な適用例を得ることが可能になる。
【００１９】
保護コーティングの使用は、特に身体または爪をメイクアップするために、後に続く何時間以内でまたはさらに数日間にわたりパターンの品質から利益を得るのに特に有用である。
【００２０】
本発明によるプロセスは、唇または爪などの小さい領域を覆うことを可能にする。
【００２１】
本発明によるプロセスは、ケラチン材料を覆うための通常の処理に適合性がある。
【００２２】
転写面によって支持されるインクは、好ましくは色素を含む。
【００２３】
転写面は、たとえば基材の外面である。
【００２４】
保護コーティング
保護コーティングは、無色でも着色されていてもよい。
【００２５】
保護コーティングは、半透明でも透明であってもよく、好ましくは透明である。
【００２６】
優先的に、保護コーティングは、流体組成物を使用して少なくとも部分的に生成される。流体組成物は、２５℃でたとえば１ｍＰａ．ｓから５００ｍＰａ．ｓの範囲の粘度、好ましくは１ｍＰａ．ｓから３００ｍＰａ．ｓの範囲の粘度を有する。
【００２７】
粘度は、当業者に公知の何らかのプロセスを介して、特に下記の従来のプロセスに従って測定されてもよい。２５℃で、２００ｒｐｍで回転するスピンドルを備えたＲｈｅｏｍａｔ  １８０粘度計を使用して、当業者は、それらの一般的知識に基づいて、測定を行うことができるように、スピンドルＭ１、Ｍ２、Ｍ３、およびＭ４から粘度を測定するためのスピンドルを選択することができる。
【００２８】
溶媒
保護コーティングの流体組成物は、インクの色素を溶解または分散することができないように選択された溶媒を特に含む。
【００２９】
流体組成物は、少なくとも１種の水性または有機溶媒、特に揮発性有機溶媒を含んでいてもよい。
【００３０】
流体組成物は、有利には揮発性溶媒、特に水または揮発性有機溶媒を、含んでいてもよい。
【００３１】
本発明の目的で、「揮発性溶媒」という用語は、室温で液体であり、特に室温および大気圧で非ゼロ蒸気圧を有する、特に０．１３Ｐａから４０  ０００Ｐａ（１０−３から３００ｍｍＨｇ）の範囲、好ましくは１．３Ｐａから１３  ０００Ｐａ（０．０１から１００ｍｍＨｇ）の範囲、優先的には１．３Ｐａから１３００Ｐａ（０．０１から１０ｍｍＨｇ）の範囲の蒸気圧を有する溶媒を意味する。
【００３２】
室温で液体である水不溶性揮発性化合物の含量は、組成物の全重量に対してたとえば５％から９５％であり、特に１０％から８０％であり、具体的には３０重量％から７０重量％である。
【００３３】
本発明の目的で、「揮発性化合物」という表現は、室温および大気圧で、１時間未満で皮膚またはケラチン繊維に接触して蒸発することが可能な何らかの化合物（または非水性媒体）を意味する。
【００３４】
対照的に、「不揮発性化合物」という用語は、少なくとも数時間にわたり、室温および大気圧でケラチン材料上に残される、かつ特に１０−３ｍｍＨｇ（０．１３Ｐａ）未満の蒸気圧を有する化合物を指す。
【００３５】
流体組成物の揮発性有機溶媒は、特に、化粧品として許容される油、またはそのような化合物の混合物を含んでいてもよい。「化粧品として許容される」という用語は、その使用がケラチン材料への適用に適合性があるものである化合物を意味する。
【００３６】
流体組成物が１種または複数の有機溶媒を含む場合、これらの溶媒は、組成物の全重量に対して２０％から９９％の範囲、好ましくは４０％から９５％の範囲の含量で存在していてもよい。
【００３７】
流体組成物は、揮発性油からなる少なくとも１種の揮発性溶媒を含んでいてもよい。
【００３８】
油は、シリコーン油もしくは炭化水素系油であってもよく、またはそのような油の混合物を含んでいてもよい。
【００３９】
本発明の目的で、「シリコーン油」という用語は、少なくとも１個のケイ素原子、特に少なくとも１個のＳｉ−Ｏ基を含む油を意味する。
【００４０】
「炭化水素系油」という用語は、主に水素および炭素原子と、おそらくは酸素、窒素、硫黄、および／またはリン原子を含有する油を意味する。
【００４１】
揮発性炭化水素系油は、８から１６個の炭素原子、特に分枝状Ｃ８〜Ｃ１６アルカン（イソパラフィンとも呼ぶ）、たとえばイソドデカン（２，２，４，４，６−ペンタメチルヘプタン）、イソデカン、イソヘキサデカンを含有する炭化水素系油から選択されてもよく、たとえばＩｓｏｐａｒ（登録商標）またはＰｅｒｍｅｔｈｙｌ（登録商標）という商品名の下で販売されている油である。
【００４２】
使用されてもよい揮発性油は、揮発性シリコーン、たとえば揮発性直鎖状または環状シリコーン油、特に粘度≦８センチストローク（８×１０−６ｍ２／秒）を有しかつ特に２から１０個のケイ素原子、特に２から７個のケイ素原子を含有するものを含み、これらのシリコーンは、１から１０個の炭素原子を含有するアルキルまたはアルコキシ基を任意選択で含んでいる。本発明で使用されてもよい揮発性シリコーン油として、特に、粘度５および６ｃＳｔであるジメチコン、オクタメチルシクロテトラシロキサン、デカメチルシクロペンタシロキサン、ドデカメチルシクロヘキサシロキサン、ヘプタメチルヘキシルトリシロキサン、ヘプタメチルオクチルトリシロキサン、ヘキサメチルジシロキサン、オクタメチルトリシロキサン、デカメチルテトラシロキサン、およびドデカメチルペンタシロキサンと、これらの混合物を挙げてもよい。
【００４３】
一般式（Ｉ）：
【００４４】
【化１】
2020075145.tif 000003
【００４５】
（式中、Ｒは、２から４個の炭素原子を含むアルキル基を表し、その１個または複数の水素原子はフッ素または塩素原子で置き換えられていてもよい）
の直鎖状揮発性アルキルトリシロキサン油を挙げてもよい。
【００４６】
一般式（Ｉ）の油の中で：
３−ブチル−１，１，１，３，５，５，５−ヘプタメチルトリシロキサン、
３−プロピル−１，１，１，３，５，５，５−ヘプタメチルトリシロキサン、および
３−エチル−１，１，１，３，５，５，５−ヘプタメチルトリシロキサン
を挙げてもよく、これらはＲがそれぞれブチル基、プロピル基、またはエチル基である式（Ｉ）の油に対応する。
【００４７】
本発明による組成物は、組成物の全重量に対して、揮発性油をたとえば１重量％から９５重量％の間、さらに良好には５重量％〜７５重量％の間で含んでいてもよい。
【００４８】
流体組成物は、下記のリスト：
−  室温で液体であるケトン、たとえばメチルエチルケトン、メチルイソブチルケトン、ジイソブチルケトン、イソホロン、シクロヘキサノン、またはアセトン；
−  室温で液体であるアルコール、たとえばエタノール、イソプロパノール、ジアセトンアルコール、２−ブトキシ−エタノール、またはシクロヘキサノール；
−  室温で液体であるグリコール、たとえばエチレングリコール、プロピレングリコール、ペンチレングリコール、またはグリセロール；
−  室温で液体であるプロピレングリコールエーテル、たとえばプロピレングリコールモノメチルエーテル、プロピレングリコールモノメチルエーテルアセテート、またはジプロピレングリコールｎ−ブチルエーテル；
−  合計で３から８個の炭素原子を含有する短鎖エステル、たとえば酢酸エチル、酢酸メチル、酢酸プロピル、酢酸ｎ−ブチル、または酢酸イソペンチル；
−  室温で液体であるアルカン、たとえばデカン、ヘプタン、ドデカン、およびシクロヘキサン
から選択された少なくとも１種の有機溶媒を含んでいてもよい。
【００４９】
非水性溶媒の媒体は、室温で液体である少なくとも１種の不揮発性水不溶性化合物、特に少なくとも１種の不揮発性油であって、特に不揮発性炭化水素系油および／またはシリコーン油から選択されてもよいものを含んでいてもよい。
【００５０】
特に挙げてもよい不揮発性炭化水素系油には：
−  グリセロールの脂肪酸エステルからなるトリグリセリドなどの植物由来の炭化水素系油であって、その脂肪酸がＣ４〜Ｃ２４まで様々な鎖長を有していてもよく、これらの鎖がおそらくは直鎖状または分枝状でありかつ飽和または不飽和のもの；これらの油は、特に、麦芽油、ヒマワリ油、グレープシード油、ゴマ種子油、トウモロコシ油、アプリコット油、ヒマシ油、シア油、アボカド油、オリーブ油、大豆油、スイートアーモンド油、パーム油、ナタネ油、綿実油、ヘーゼルナッツ油、マカダミア油、ホホバ油、アルファルファ油、ケシ油、パンプキン油、マロー油、黒房すぐり油、月見草油、キビ油、大麦油、キノア油、ライ麦油、サフラワー油、キャンドルナッツ油、トケイソウ油、およびジャコウバラ油であり；またはそうでない場合にはカプリル酸／カプリン酸トリグリセリド、たとえばＳｔｅａｒｉｎｅｒｉｅｓ  Ｄｕｂｏｉｓ社によって販売されているもの、またはＤｙｎａｍｉｔ  Ｎｏｂｅｌ社によってＭｉｇｌｙｏｌ  ８１０、８１２、および８１８という名称の下で販売されているもの；
−  １０から４０個の炭素原子を含有する合成エーテル；
−  無機または合成由来の直鎖状または分枝状炭化水素、たとえばワセリン、ポリデセン、水素化ポリイソブテン、たとえばＰａｒｌｅａｍ、およびスクアランと、これらの混合物；
−  式Ｒ１ＣＯＯＲ２の油などの合成エステルであって、Ｒ１が、１から４０個の炭素原子を含有する直鎖状または分枝状脂肪酸残基を表し、Ｒ２が、特に１から４０個の炭素原子を含有する分枝状炭化水素をベースにした鎖を表し、ただしＲ１＋Ｒ２≧１０であることを条件としたもの、たとえば、プルセリン油（オクタン酸セトステアリル）、ミリスチン酸イソプロピル、パルミチン酸イソプロピル、Ｃ１２〜Ｃ１５アルキルベンゾエート、ラウリン酸ヘキシル、アジピン酸ジイソプロピル、イソノナン酸イソノニル、パルミチン酸２−エチルヘキシル、イソステアリン酸イソステアリル、アルキルまたはポリアルキルオクタノエート、デカノエート、またはリシノレエート、たとえばプロピレングリコールジオクタノエート；ヒドロキシル化エステル、たとえば乳酸イソステアリル、およびリンゴ酸ジイソステアリル；およびペンタエリトリトールエステル；
−  室温で液体である脂肪アルコールであって、１２から２６個の炭素原子を含有する分枝状および／または不飽和炭素をベースにした鎖を持つもの、たとえばオクチルドデカノール、イソステアリルアルコール、オレイルアルコール、２−ヘキシルデカノール、２−ブチルオクタノール、および２−ウンデシルペンタデカノール；
−  高級脂肪酸、たとえばオレイン酸、リノール酸、またはリノレン酸；
およびこれらの混合物が含まれる。
【００５１】
本発明による組成物で使用することができる不揮発性シリコーン油は、不揮発性ポリジメチルシロキサン（ＰＤＭＳ）、各々が２から２４個の炭素原子を含有するアルキルまたはアルコキシ基を含むポリジメチルシロキサンであってシリコーン鎖の側基および／または末端にあるもの、フェニルシリコーン、たとえばフェニルトリメチコン、フェニルジメチコン、フェニルトリメチルシロキシジフェニルシロキサン、ジフェニルジメチコン、ジフェニルメチルジフェニルトリシロキサン、および２−フェニルエチルトリメチルシロキシシリケートであってもよい。
【００５２】
一実施形態によれば、本発明による組成物は、水および／または少なくとも１種の水溶性溶媒を含んでいてもよい。
【００５３】
本発明において、「水溶性溶媒」という用語は、室温で液体であり水混和性である化合物を示す（水との混和性は、２５℃および大気圧で５０重量％よりも大きい）。
【００５４】
本発明による組成物で使用されてもよい水溶性溶媒は、一般に揮発性でもある。
【００５５】
本発明による組成物で使用されてもよい水溶性溶媒の中で、特に、１から５個の炭素原子を含有する低級モノアルコール、たとえばエタノールおよびイソプロパノール、２から８個の炭素原子を含有するグリコール、たとえばエチレングリコール、プロピレングリコール、１，３−ブチレングリコール、およびジプロピレングリコール、Ｃ３およびＣ４ケトンと、Ｃ２〜Ｃ４アルデヒドを挙げてもよい。
【００５６】
水および／または水溶性溶媒は、本発明による組成物中にそれ自体導入されてもよく、またはそこに、前記組成物を構成する１種もしくは複数の成分を用いて組み込まれてもよい。したがって、水は特に、たとえば被膜形成剤として有用なポリマー粒子の水性分散体を導入することによって、組成物中に導入されてもよい。
【００５７】
本発明の流体組成物中の水および／または水溶性溶媒の含量は、流体組成物の全重量に対して特に０．１％から８０％に及んでもよく、より具体的には２重量％から７０重量％に及んでもよい。
【００５８】
本発明による保護コーティングの組成物は、溶媒と、この溶媒が消失した後にたとえば蒸着または吸収によって、転写されたパターンを外部環境から隔離する保護被膜を生成する材料とを含んでいてもよい。
【００５９】
保護被膜は、連続的であってもそうでなくてもよい。
【００６０】
保護被膜は、油じみたまたは乾いた感触を有していてもよい。
【００６１】
被膜形成ポリマー
有利には、本発明による保護コーティングの組成物は、被膜形成ポリマーを含む。
【００６２】
被膜形成ポリマーは、粒子の形で組成物の水相中に溶解しまたは分散しあるいは粒子の形で液体脂肪相中に溶解しまたは分散するポリマーであってもよい。組成物は、これらのポリマーの混合物を含んでいてもよい。
【００６３】
被膜形成ポリマーは、組成物の全重量に対して０．０１重量％から２０重量％の範囲、好ましくは０．５重量％から１０重量％の範囲の固形分含量で、本発明による組成物中に存在していてもよい。
【００６４】
本出願において、「被膜形成ポリマー」という用語は、それ自体でまたは補助的被膜形成剤の存在下、連続的かつ接着性の被膜を支持体上に、特にケラチン材料上に形成することが可能なポリマーを意味する。
【００６５】
好ましくは、疎水性被膜を形成することが可能な被膜形成ポリマー、すなわち、被膜が２５℃の水中で１重量％未満の溶解度を有するポリマーが使用される。
【００６６】
本発明の組成物で使用されてもよい被膜形成ポリマーの中で、フリーラジカル型のまたは重縮合体型の合成ポリマー、天然由来のポリマー、およびこれらの混合物を挙げてもよい。
【００６７】
「フリーラジカル被膜形成ポリマー」という表現は、各モノマーが単独重合することが可能である（重縮合体とは異なる）、不飽和の、特にエチレン性不飽和モノマーの重合によって得られるポリマーを意味する。
【００６８】
フリーラジカル型の被膜形成ポリマーは、特に、ビニルポリマーまたはコポリマーであってもよく、特にアクリルポリマーである。
【００６９】
ビニル被膜形成ポリマーは、少なくとも１個の酸基を含有するエチレン系不飽和モノマーおよび／またはこれらの酸モノマーのエステルおよび／またはこれらの酸モノマーのアミドの重合から得られてもよい。
【００７０】
酸基を保持するモノマーとして、アクリル酸、メタクリル酸、クロトン酸、マレイン酸、またはイタコン酸などのα，β−エチレン性不飽和カルボン酸を使用してもよい。（メタ）アクリル酸およびクロトン酸が好ましく使用され、より好ましくは（メタ）アクリル酸である。
【００７１】
酸モノマーのエステルは、有利には、（メタ）アクリル酸エステル（（メタ）アクリレートとも呼ばれる）から、特にアルキル（メタ）アクリレート、特にＣ１〜Ｃ３０、好ましくはＣ１〜Ｃ２０アルキル（メタ）アクリレート、アリール（メタ）アクリレート、特にＣ６〜Ｃ１０アリール（メタ）アクリレート、およびヒドロキシアルキル（メタ）アクリレート、特にＣ２〜Ｃ６ヒドロキシアルキル（メタ）アクリレートから選択される。
【００７２】
アルキル（メタ）アクリレートの中で、メタクリル酸メチル、メタクリル酸エチル、メタクリル酸ブチル、メタクリル酸イソブチル、メタクリル酸２−エチルヘキシル、メタクリル酸ラウリル、またはメタクリル酸シクロヘキシルを挙げてもよい。
【００７３】
ヒドロキシアルキル（メタ）アクリレートの中で、アクリル酸ヒドロキシエチル、アクリル酸２−ヒドロキシプロピル、メタクリル酸ヒドロキシエチル、またはメタクリル酸２−ヒドロキシプロピルを挙げてもよい。
【００７４】
アリール（メタ）アクリレートの中で、アクリル酸ベンジルおよびアクリル酸フェニルを挙げてもよい。
【００７５】
特に好ましい（メタ）アクリル酸エステルは、アルキル（メタ）アクリレートである。
【００７６】
本発明によれば、エステルのアルキル基には、フッ素化または過フッ素化のいずれかをなすことができ、すなわち、アルキル基の水素原子の一部またはすべてがフッ素原子によって置き換えられる。
【００７７】
酸モノマーのアミドとして、たとえば、（メタ）アクリルアミド、特にＮ−アルキル（メタ）アクリルアミド、特にＮ−（Ｃ２〜Ｃ１２アルキル）（メタ）アクリルアミドを挙げてもよい。Ｎ−アルキル（メタ）アクリルアミドの中で、Ｎ−エチルアクリルアミド、Ｎ−（ｔ−ブチル）アクリルアミド、Ｎ−（ｔ−オクチル）アクリルアミド、およびＮ−ウンデシルアクリルアミドを挙げてもよい。
【００７８】
ビニル被膜形成ポリマーは、ビニルエステルおよびスチレンモノマーから選択されたモノマーの単独重合または共重合から得られてもよい。特に、これらのモノマーは、すでに述べたような酸モノマーおよび／またはそのエステルおよび／またはそのアミドと重合されてもよい。
【００７９】
挙げることができるビニルエステルの例は、酢酸ビニル、ネオデカン酸ビニル、ピバリン酸ビニル、安息香酸ビニル、およびｔ−ブチル安息香酸ビニルである。
【００８０】
挙げることができるスチレンモノマーは、スチレンおよびα−メチルスチレンを含む。
【００８１】
アクリルおよびビニルモノマー（シリコーン鎖で修飾されたモノマーを含む）のカテゴリに含まれる、当業者に公知の何らかのモノマーを使用することが可能である。
【００８２】
挙げることができる被膜形成重縮合体の中には、ポリウレタン、ポリエステル、ポリエステルアミド、ポリアミド、エポキシエステル樹脂、およびポリ尿素がある。
【００８３】
ポリウレタンは、アニオン性、カチオン性、非イオン性、および両性ポリウレタン、ポリウレタン−アクリル、ポリウレタン−ポリビニル−ピロリドン、ポリ−エステル−ポリウレタン、ポリエーテル−ポリウレタン、ポリ尿素、およびポリ尿素−ポリウレタン、およびこれらの混合物から選択されてもよい。
【００８４】
ポリエステルは、ジカルボン酸とポリオール、特にジオールとの重縮合によって、公知の手法で得てもよい。
【００８５】
ジカルボン酸は、脂肪族、脂環式、または芳香族であってもよい。挙げることができるそのような酸の例には：シュウ酸、マロン酸、ジメチルマロン酸、コハク酸、グルタル酸、アジピン酸、ピメリン酸、２，２−ジメチルグルタル酸、アゼライン酸、スベリン酸、セバシン酸、フマル酸、マレイン酸、イタコン酸、フタル酸、ドデカン二酸、１，３−シクロヘキサンジカルボン酸、１，４−シクロヘキサンジカルボン酸、イソフタル酸、テレフタル酸、２，５−ノルボルナンジカルボン酸、ジグリコール酸、チオジプロピオン酸、２，５−ナフタレンジカルボン酸、２，６−ナフタレンジカルボン酸が含まれる。これらのジカルボン酸モノマーは、単独で、または少なくとも２種のジカルボン酸モノマーとの組合せとして使用されてもよい。これらのモノマーの中で、優先的に選択されたものは、フタル酸、イソフタル酸、およびテレフタル酸である。
【００８６】
ジオールは、脂肪族、脂環式、および芳香族ジオールから選択されてもよい。使用されるジオールは、好ましくは：エチレングリコール、ジエチレングリコール、トリエチレングリコール、１，３−プロパンジオール、シクロヘキサンジメタノール、および４−ブタンジオールから選択される。
【００８７】
使用されてもよい他のポリオールは、グリセロール、ペンタエリトリトール、ソルビトール、およびトリメチロールプロパンである。
【００８８】
ポリエステルアミドは、二酸とジアミンまたはアミノアルコールとの重縮合によって、ポリエステルの場合に類似する手法で得てもよい。使用されてもよいジアミンは、エチレンジアミン、ヘキサメチレンジアミン、およびメタ−またはパラ−フェニレンジアミンである。使用されてもよいアミノアルコールは、モノエタノールアミンである。
【００８９】
ポリエステルは、少なくとも１個の−ＳＯ３Ｍ基（式中、Ｍは、水素原子、アンモニウムイオンＮＨ４＋、または金属イオン、たとえばＮａ＋、Ｌｉ＋、Ｋ＋、Ｍｇ２＋、Ｃａ２＋、Ｃｕ２＋、Ｆｅ２＋、またはＦｅ３＋イオンを表す）を保持する少なくとも１種のモノマーを含んでいてもよい。そのような−ＳＯ３Ｍ基を含む２官能性芳香族モノマーが、特に使用されてもよい。
【００９０】
上述のような−ＳＯ３Ｍ基も保持する２官能性芳香族モノマーの芳香核は、たとえば、ベンゼン、ナフタレン、アントラセン、ビフェニル、オキシビフェニル、スルホニルビフェニル、およびメチレンビフェニル核から選択されてもよい。
【００９１】
−ＳＯ３Ｍ基も保持する２官能性芳香族モノマーの例として：スルホイソフタル酸、スルホテレフタル酸、スルホフタル酸、および４−スルホナフタレン−２，７−ジカルボン酸を挙げてもよい。
【００９２】
好ましく使用されるコポリマーは、イソフタレート／スルホイソフタレートをベースにしたものであり、より具体的には、ジエチレングリコール、シクロヘキサンジメタノール、イソフタル酸、およびスルホイソフタル酸の縮合によって得られたコポリマーである。そのようなポリマーは、たとえば、Ｅａｓｔｍａｎ  Ｃｈｅｍｉｃａｌ  Ｐｒｏｄｕｃｔｓ社によってＥａｓｔｍａｎ  ＡＱ（登録商標）という商品名の下で販売されている。
【００９３】
天然由来の、任意選択で修飾されたポリマーは、シェラック樹脂、サンダラックゴム、ダンマル樹脂、エレミゴム、コーパル樹脂、およびセルロース系ポリマーと、これらの混合物から選択されてもよい。
【００９４】
本発明による組成物の第１の実施形態によれば、被膜形成ポリマーは、ラテックスまたは擬ラテックスとして一般に公知の、水性分散体中の粒子の形で存在していてもよい。これらの分散体を調製するための技法は、当業者に周知である。
【００９５】
使用されてもよい被膜形成ポリマーの水性分散体には、Ａｖｅｃｉａ−Ｎｅｏｒｅｓｉｎｓ社製のＮｅｏｃｒｙｌ  ＸＫ−９０（登録商標）、Ｎｅｏｃｒｙｌ  Ａ−１０７０（登録商標）、Ｎｅｏｃｒｙｌ  Ａ−１０９０（登録商標）、Ｎｅｏｃｒｙｌ  ＢＴ−６２（登録商標）、Ｎｅｏｃｒｙｌ  Ａ−１０７９（登録商標）、Ｎｅｏｃｒｙｌ  Ａ−５２３（登録商標）、Ｄｏｗ  Ｃｈｅｍｉｃａｌ社製Ｄｏｗ  Ｌａｔｅｘ  ４３２（登録商標）、大東化成工業（株）製Ｄａｉｔｏｓｏｌ  ５０００  ＡＤ（登録商標）の名称の下で販売されるアクリル分散体；またはそうでない場合には、Ａｖｅｃｉａ−Ｎｅｏｒｅｓｉｎｓ社製のＮｅｏｒｅｚ  Ｒ−９８１（登録商標）、Ｎｅｏｒｅｚ  Ｒ−９７４（登録商標）、Ｇｏｏｄｒｉｃｈ社製のＡｖａｌｕｒｅ  ＵＲ−４０５（登録商標）、Ａｖａｌｕｒｅ  ＵＲ−４１０（登録商標）、Ａｖａｌｕｒｅ  ＵＲ−４２５（登録商標）、Ａｖａｌｕｒｅ  ＵＲ−４５０（登録商標）、Ｓａｎｃｕｒｅ  ８７５（登録商標）、Ｓａｎｃｕｒｅ  ８６１（登録商標）、Ｓａｎｃｕｒｅ  ８７８（登録商標）、Ｓａｎｃｕｒｅ  ２０６０（登録商標）、Ｂａｙｅｒ社製Ｉｍｐｒａｎｉｌ  ８５（登録商標）、Ｈｙｄｒｏｍｅｒ社製Ａｑｕａｍｅｒｅ  Ｈ−１５１１（登録商標）の名称の下で販売される水性ポリウレタン分散体が含まれる。
【００９６】
被膜形成ポリマーの水性分散体として、ポリウレタン、ポリ尿素、ポリエステル、ポリエステルアミド、および／またはアルキドからなる群から選択された少なくとも１種のポリマーの既存の粒子の内部および／または部分的に表面にある１種または複数のフリーラジカルモノマーのフリーラジカル重合から得られる、ポリマーの分散体が使用されてもよい。これらのポリマーは、一般に「ハイブリッドポリマー」と呼ばれる。
【００９７】
本発明による組成物の第２の実施形態の変形形態によれば、被膜形成ポリマーは、水溶性ポリマーであってもよく、したがって溶解した形で組成物水相中に存在する。挙げることができる水溶性被膜形成ポリマーの例には：
−  タンパク質、たとえば、小麦タンパク質および大豆タンパク質などの植物由来のタンパク質；ケラチンなどの動物由来のタンパク質、たとえばケラチン加水分解物およびスルホン性ケラチン；
−  アニオン性、カチオン性、両性、または非イオン性のキチンまたはキトサンポリマー；
−  セルロースポリマー、たとえばヒドロキシエチルセルロース、ヒドロキシプロピルセルロース、メチルセルロース、エチルヒドロキシエチルセルロース、およびカルボキシメチルセルロース、さらに第４級化セルロース誘導体；
−  アクリルポリマーまたはコポリマー、たとえばポリアクリレートまたはポリメタクリレート；
−  ビニルポリマー、たとえばポリビニルピロリドン、メチルビニルエーテルと無水リンゴ酸とのコポリマー、酢酸ビニルとクロトン酸とのコポリマー、ビニルピロリドンと酢酸ビニルとのコポリマー；ビニルピロリドンとカプロラクタムとのコポリマー；ポリビニルアルコール；
−  天然由来の任意選択で修飾されたポリマー、たとえば：
・  アラビアゴム、グアールゴム、キサンタン誘導体、カラヤゴム；
・  アルギネートおよびカラゲナン；
・  グリコサミノグリカン、ヒアルロン酸、およびこれらの誘導体；
・  シェラック樹脂、サンダラックゴム、ダンマル樹脂、エレミゴム、コーパル樹脂；
・  デオキシリボ核酸；
・  ムコ多糖、たとえばヒアルロン酸および硫酸コンドロイチンと、これらの混合物が含まれる。
【００９８】
本発明による保護コーティングの組成物の、別の実施形態の変形形態によれば、被膜形成ポリマーは、上述のものなどの有機溶媒または油を含む液体脂肪相中に存在していてもよい。本発明の目的で、「液体脂肪相」という用語は、一般に相互に相溶性のある油としても公知の、室温で液体である１種または複数の脂肪物質から構成される、室温（２５℃）および大気圧（７６０ｍｍＨｇ、すなわち１０５Ｐａ）で液体である脂肪相を意味する。
【００９９】
好ましくは、液体脂肪相は、任意選択で不揮発性油と混合した揮発性油を含み、この油はおそらくは、上述の油から選択される。
【０１００】
本発明による組成物の第３の実施形態によれば、被膜形成ポリマーは、液体脂肪相中に分散された表面安定化粒子の形で存在していてもよい。
【０１０１】
表面安定化ポリマー粒子の分散体は、文献ＥＰ−Ａ−７４９  ７４７に記載されるように製造されてもよい。
【０１０２】
ポリマー粒子は、単独でまたは混合物として、ブロックポリマー、グラフトポリマー、および／またはランダムポリマーであってもよい安定化剤を用いて、表面安定化状態にある。
【０１０３】
安定化剤の存在下にある液体脂肪相中の被膜形成ポリマーの分散体は、特にその内容が参照により本特許出願に組み込まれる文献ＥＰ−Ａ−７４９  ７４６、ＥＰ−Ａ−９２３  ９２８、およびＥＰ−Ａ−９３０  ０６０に特に記載されている。
【０１０４】
水相中または液体脂肪相中のいずれかにある分散体中のポリマー粒子のサイズは、５ｎｍから６００ｎｍに及んでもよく、好ましくは２０ｎｍから３００ｎｍに及んでもよい。
【０１０５】
本発明による保護コーティングの組成物の第４の実施形態によれば、被膜形成ポリマーは液体脂肪相中に溶解してもよく、その場合、被膜形成ポリマー脂溶性ポリマーであると言える。
【０１０６】
挙げることができる脂溶性ポリマーの例は、ビニルエステル（ビニル基が、エステル基の酸素原子に直接結合しており、ビニルエステルは、エステル基のカルボニルに結合された１から１９個の炭素原子の飽和、直鎖状、または分枝状の炭化水素系ラジカルを含有している）と、ビニルエステル（すでに存在するビニルエステル以外）、α−オレフィン（８から２８個の炭素原子を含有する）、アルキルビニルエステル（アルキル基が２から１８個の炭素原子を含む）、またはアリルもしくはメタリルエステル（エステル基のカルボニルに結合された、１から１９個の炭素原子の飽和、直鎖状、または分枝状の炭化水素系ラジカル）であってもよい少なくとも１種の他のモノマーとのコポリマーである。
【０１０７】
これらのコポリマーは、テトラアリルオキシエタン、ジビニルベンゼン、ジビニルオクタンジオエート、ジビニルドデカンジオエート、およびジビニルオクタデカンジオエートなど、ビニル型またはアリルもしくはメタリル型のいずれかであってもよい架橋剤の助けを借りて架橋されてもよい。
【０１０８】
挙げることができるこれらのコポリマーの例には、下記のコポリマー：酢酸ビニル／ステアリン酸アリル、酢酸ビニル／ラウリン酸ビニル、酢酸ビニル／ステアリン酸ビニル、酢酸ビニル／オクタデセン、酢酸ビニル／オクタデシルビニルエーテル、プロピオン酸ビニル／ラウリン酸アリル、プロピオン酸ビニル／ラウリン酸ビニル、ステアリン酸ビニル／１−オクタデセン、酢酸ビニル／１−ドデセン、ステアリン酸ビニル／エチルビニルエーテル、プロピオン酸ビニル／セチルビニルエーテル、ステアリン酸ビニル／酢酸アリル、２，２−ジメチルオクタン酸ビニル／ラウリン酸ビニル、２，２−ジメチルペンタン酸アリル／ラウリン酸ビニル、ジメチルプロピオン酸ビニル／ステアリン酸ビニル、ジメチルプロピオン酸アリル／ステアリン酸ビニル、プロピオン酸ビニル／ステアリン酸ビニルであって０．２％のジビニルベンゼンと架橋したもの、ジメチルプロピオン酸ビニル／ラウリン酸ビニルであって０．２％のジビニルベンゼンと架橋したもの、酢酸ビニル／オクタデシルビニルエーテルであって０．２％のテトラアリルオキシエタンと架橋したもの、酢酸ビニル／ステアリン酸アリルであって０．２％のジビニルベンゼンと架橋したもの、酢酸ビニル／１−オクタデセンであって０．２％のジビニルベンゼンと架橋したもの、およびプロピオン酸アリル／ステアリン酸アリルであって、０．２％のジビニルベンゼンと架橋したものが含まれる。
【０１０９】
挙げることもできる脂溶性被膜形成ポリマーには、脂溶性ホモポリマーが含まれ、特に、９から２２個の炭素原子を含有するビニルエステル、アルキルアクリレートまたはメタクリレートの単独重合から得られたものであって、アルキルラジカルが１０から２０個の炭素原子を含有するものが含まれる。
【０１１０】
そのような脂溶性ホモポリマーは、ポリステアリン酸ビニル、ジビニルベンゼン、ジアリルエーテル、またはジアリルフタレートの助けを借りて架橋したポリステアリン酸ビニル、ポリステアリル（メタ）アクリレート、ポリラウリン酸ビニル、およびポリラウリル（メタ）アクリレートから選択されてもよく、これらのポリ（メタ）アクリレートは、エチレングリコールジメタクリレートまたはテトラエチレングリコールジメタクリレートの助けを借りて架橋することが可能なものである。
【０１１１】
すでに定義された脂溶性コポリマーおよびホモポリマーは、公知であり、特に特許出願ＦＲ−Ａ−２  ２３２  ３０３に記載されており；それらは２０００から５００  ０００の範囲、好ましくは４０００から２００  ０００の範囲の重量平均分子量を有していてもよい。
【０１１２】
本発明で使用されてもよい脂溶性被膜形成ポリマーとして、ポリアルキレン、特にポリブテンなどのＣ２〜Ｃ２０アルケンのコポリマー、直鎖状または分枝状の飽和または不飽和Ｃ１〜Ｃ８アルキルラジカルを持つアルキルセルロース、たとえばエチルセルロースおよびプロピルセルロース、ビニルピロリドン（ＶＰ）のコポリマー、特にビニルピロリドンとＣ２〜Ｃ４０、さらに良好にはＣ３〜Ｃ２０アルケンとのコポリマーを挙げてもよい。本発明で使用されてもよいＶＰコポリマーの例として、ＶＰ／酢酸ビニル、ＶＰ／メタクリル酸エチル、ブチル化ポリビニルピロリドン（ＰＶＰ）、ＶＰ／メタクリル酸エチル／メタクリル酸、ＶＰ／エイコセン、ＶＰ／ヘキサデセン、ＶＰ／トリアコンテン、ＶＰ／スチレン、またはＶＰ／アクリル酸／メタクリル酸ラウリルのコポリマーを挙げてもよい。
【０１１３】
本発明による保護コーティングの組成物は、被膜形成ポリマーによる被膜の形成を促進させる、補助的被膜形成剤を含んでいてもよい。そのような被膜形成剤は、所望の機能を満たすことが可能であることが当業者に公知である、何らかの化合物から選択されてもよく、特に可塑剤およびコアレッサから選択されてもよい。
【０１１４】
保護コーティングを施与させるためのシステム
保護コーティングを形成するために、組成物は、当業者に公知のケラチン材料に化粧品を施与させるための何らかのシステムを使用して施与させてもよい。
【０１１５】
施与システムは、有利には、組成物の慎重な施与が可能になるように選択される。
【０１１６】
本発明の文脈において使用されてもよい手動施与システムは、たとえば、微細なまたは粗いブラシ、コットンウールのパッド、またはワイプである。
【０１１７】
好ましくは施与システムは、有利には組成物のより速い施与を可能にする、かつインクの転写コートによって形成されたパターンの精度を劣化させない、推進システムである。
【０１１８】
推進施与システムは、たとえば加圧システム、ポンプディスペンサボトル、Ｖｅｎｔｕｒｉシステム、静電引力システム、および振動システムから選択される、液体（スプレー）の形をとる組成物を送出するように構成されてもよい。有利には、そのような施与システムは、組成物の急速な乾燥をもたらす。
【０１１９】
一変形形態では、推進施与システムは、粉末状形態の組成物をスプレーするように構成される。この実施形態は、スプレーの使用が望ましくないかつ／または難しい身体のある領域をメイクアップするのに特に有利である。
【０１２０】
保護コーティングは、各々が同一のまたは異なる組成物である１つまたは複数のコートを施与することによって、調製されてもよい。
【０１２１】
化粧品用インク−色素
色素は、以下に記述される１種または複数の染料を含んでいてもよい。
【０１２２】
色素は、インクの全質量に対して０．０１％から６０％の範囲、好ましくは０．１％から４０％の範囲、またはさらに０．１％から３０％の範囲、優先的には０．５％から２０％の範囲の質量含量で、インク中に存在してもよい。
【０１２３】
着色インクは、水溶性染料、脂溶性染料、粉末状色素、たとえば顔料、特に真珠層、および光沢材薄片、あるいは着色ポリマーから選択された、１種または複数の色素を含んでいてもよい。
【０１２４】
「顔料」という用語は、何らかの形の白色または着色された無機または有機粒子であって、化粧品媒体には不溶でありかつ化粧品用インクを着色することが意図されるものを意味すると理解すべきである。
【０１２５】
「真珠層」という用語は、ある軟体動物によってそれらの殻の中で特に生成された、またはそうでない場合には合成された、何らかの形状の真珠光沢の（ｉｒｉｄｅｓｃｅｎｔ）粒子を意味すると理解すべきである。
【０１２６】
顔料は、白色、黒色、または着色されていてもよく、無機および／または有機物であってもよい。挙げることができる無機顔料の中には、二酸化チタン、任意選択で表面処理された酸化ジルコニウムまたは酸化セリウム、さらに酸化亜鉛、酸化鉄（黒、黄、または赤）または酸化クロム、マンガンバイオレット、ウルトラマリンブルー、クロム水和物およびフェリックブルー、および金属粉末、たとえばアルミニウム粉末および銅粉末がある。
【０１２７】
挙げることができる有機顔料の中には、カーボンブラック、Ｄ＆Ｃ型の顔料、コチニールカルミンまたはバリウム、ストロンチウム、カルシウム、もしくはアルミニウムをベースにしたレーキがある。
【０１２８】
真珠箔は、チタンまたはオキシ塩化ビスマスでコーティングされた雲母などの白色真珠箔、酸化鉄でコーティングされたチタン雲母、特にフェリックブルーまたは酸化クロムでコーティングされたチタン雲母、有機顔料でコーティングされたチタン雲母、さらに酸塩化ビスマスをベースにした真珠箔などの着色真珠箔料から選択されてもよい。
【０１２９】
水溶性染料の中で、ポンソーの二ナトリウム塩、アリザリングリーン、キンジンイエローの二ナトリウム塩、アマランスの三ナトリウム塩、タルトラジンの二ナトリウム塩、ローダミンの一ナトリウム塩、フクシンの二ナトリウム塩、キサントフィルおよびメチレンブルーを挙げることができる。
【０１３０】
脂溶性染料の中で、Ｓｕｄａｎ  Ｒｅｄ  ＩＩＩ  （ＣＴＦＡ：  Ｄ＆Ｃ  Ｒｅｄ  １７）、ルテイン、キニザリングリーン（ＣＴＦＡ：  Ｄ＆Ｃ  Ｇｒｅｅｎ  ６）、アリズロールパープルＳＳ  （ＣＴＦＡ：  Ｄ＆Ｃ  Ｖｉｏｌｅｔ  ２）、スーダンブラウン、Ｄ＆Ｃ  Ｙｅｌｌｏｗ  １１、Ｄ＆Ｃ  Ｏｒａｎｇｅ  ５、キノリンイエロー、クルクミン、およびカロテノイド誘導体、たとえばリコペン、ベータ−カロテン、ビキシン、またはカプサンシン、およびこれらの混合物を挙げることができる。着色ポリマーは一般に、少なくとも２種の異なるモノマーをベースにしたコポリマーであり、その少なくとも１種はモノマー有機染料である。そのようなポリマー染料は、当業者に公知である。たとえば、下記の文献：米国特許第５  ０３２  ６７０号；米国特許第４  ９９９  ４１８号；米国特許第５  １０６  ９４２号；米国特許第５  ０３０  ７０８号；米国特許第５  １０２  ９８０号；米国特許第５  ０４３  ３７６号；米国特許第５  １０４  ９１３号；米国特許第５  ２８１  ６５９号；米国特許第５  １９４  ４６３号；米国特許第４  ８０４  ７１９号；  国際公開第９２／０７９１３号、またはＥＰ  １  ０４８  ２８２を参照することができる。
【０１３１】
着色インクは、１種または複数の色素、特にフォトクロミック顔料、すなわちある周波数の光源で照射されたときに色を変化させ、次いで照射を停止したときにそれらの初期の色または類似の色を取り戻す性質を有する色素を含んでいてもよい。フォトクロミック色素の中で、特に：
−  複合無機フォトクロミック化合物、より具体的にはドープ型アルミノシリケートおよび金属酸化物および金属酸化物水和物、たとえば国際公開第０２／３６０８３号に記載されているもの；
−  フォトクロミックナフトピラン化合物、特に３Ｈ−ナフト［２，１−ｂ］ピランまたは２Ｈ−ナフト［１，２−ｂ］ピラン、たとえば３，３−ビス（４−メトキシフェニル）−６−モルホリノ−３Ｈ−ナフト［２，１−ｂ］ピラン、３−フェニル−３−（４−モルホリノフェニル）−６−モルホリノ−３Ｈ−ナフト［２，１−ｂ］ピラン、３−フェニル−３−（４−ピペリジノフェニル）−６−モルホリノ−３Ｈ−ナフト［２，１−ｂ］ピラン、３−フェニル−３−（４−ピペリジノフェニル）−６−カルボキシメチル−９−Ｎ−ジメチル−３Ｈ−ナフト［２，１−ｂ］ピラン、または２−フェニル−２−（４−ピペリジノフェニル）−５−カルボキシメチル−９−Ｎ−ジメチル−２Ｈ−ナフト［１，２−ｂ］ピランを挙げることができる。そのような化合物は、欧州特許出願公開第１  ４１０  ７８５号公報に記載されている；
−  ジアリールエテンまたはフルギド化合物、たとえば欧州特許出願公開第９３８  ８８７号公報に記載されているもの
を挙げることができる。
【０１３２】
着色インクは、１種または複数の充填剤を、着色インクの全重量に対して特に０．０１％から５０重量％の範囲の含量で、好ましくは０．０１重量％から３０重量％の範囲の含量で含んでいてもよい。
【０１３３】
「充填剤」という用語は、このインクが製造される温度にかかわらず、着色インクの媒体に不溶な、何らかの形状の、無色または白色の無機または合成粒子を意味すると理解すべきである。
【０１３４】
これらの充填剤は、特に、着色インクのレオロジーまたはテクスチャを修正する働きをする。
【０１３５】
充填剤は、結晶学的形態（たとえば、層状、立方晶、六方晶、斜方晶など）にかかわらず、何らかの形状、平板形状、球状、または長円形の、無機または有機物であってもよい。タルク、雲母、シリカ、カオリン、ポリアミド（Ｎｙｌｏｎ（登録商標））粉末（Ｏｒｇａｓｏｌ（登録商標）、Ａｔｏｃｈｅｍ製）、ポリ−β−アラニン粉末およびポリエチレン粉末、テトラフルオロエチレンポリマー（Ｔｅｆｌｏｎ（登録商標））粉末、ラウロイルリシン、デンプン、窒化ホウ素、ポリ塩化ビニリデン／アクリロニトリル微小球などの中空ポリマー微小球、たとえばＥｘｐａｎｃｅｌ（登録商標）（Ｎｏｂｅｌ  Ｉｎｄｕｓｔｒｉｅ）、アクリル酸コポリマー微小球（Ｐｏｌｙｔｒａｐ（登録商標）、Ｄｏｗ  Ｃｏｒｎｉｎｇ社製）、およびシリコーン樹脂マイクロビーズ（たとえば、Ｔｏｓｐｅａｒｌｓ（登録商標）、東芝製）、エラストマーポリオルガノシロキサン粒子、沈降炭酸カルシウム、炭酸マグネシウム、炭酸水素マグネシウム、ヒドロキシアパタイト、中空シリカ微小球（Ｓｉｌｉｃａ  Ｂｅａｄｓ（登録商標）、Ｍａｐｒｅｃｏｓ製）、ガラスまたはセラミックマイクロカプセル、および８から２２個の炭素原子、好ましくは１２から１８個の炭素原子を含有する有機カルボン酸から誘導された金属石けん、たとえばステアリン酸亜鉛、ステアリン酸マグネシウム、ステアリン酸リチウム、ラウリン酸亜鉛、またはミリスチン酸マグネシウムを挙げることができる。
【０１３６】
着色インクは、被膜形成ポリマーなどの追加のポリマーを含んでいてもよい。着色インクで使用されてもよい被膜形成ポリマーの中で、ラジカル型または重縮合体型の合成ポリマー、天然由来のポリマー、およびこれらの混合物、特にアクリルポリマー、ポリウレタン、ポリエステル、ポリアミド、ポリ尿素、およびセルロース系ポリマー、たとえばニトロセルロースを挙げることができる。
【０１３７】
言うまでもなく、当業者なら、着色インクの有利な性質が、考えられる添加物（ｅｎｖｉｓａｇｅｄ  ａｄｄｉｔｉｏｎ）によって悪影響を受けないようにまたは実質的に受けないように、これまたはこれらの任意選択の追加の化合物および／またはそれらの量を選択するのに注意を払うであろう。
【０１３８】
化粧品として許容される媒体
本発明による着色インクは、化粧品として許容される媒体、すなわち顔または身体の皮膚、唇、毛髪、まつ毛、眉毛、および爪などのケラチン材料に適合性のある媒体を構成する。
【０１３９】
転写面への印刷
「デジタルプリンタ」という用語は、字枠を含む機械とは異なる、デジタルデータを使用して画素の形で印刷するための機械を意味する。プリンタは、インクジェットプリンタ、たとえば感熱式または圧電式プリンタ、昇華型プリンタ、またはレーザプリンタであってもよい。
【０１４０】
一実施例において、プリンタは、少なくとも１種の化粧品用トナーを使用して、転写面にパターンを有するインクのコートの電子写真法または磁気写真法による形成を可能にするように、かつヒトケラチン材料との接触によって吸収されまたは転写されることが十分自由になされる状態で、転写面に存在するトナーを送出するように、配置構成されたレーザプリンタである。
【０１４１】
「化粧品用トナー」という用語は、レーザプリンタで使用されるような電子写真または磁気写真プロセスを介した画像の形成に適合性のある、粉末状化粧品組成物を意味すると理解すべきである。好ましくは、電子写真法での使用に適切なトナーである。
【０１４２】
トナーは、ヒトケラチン材料への施与に適合性があるという意味で、化粧品である。メイクアップされる表面に応じて、トナーの配合は異なる。たとえば、毛髪または爪への施与の場合、たとえば唇への施与には使用されないと考えられるある化合物を使用することが可能である。
【０１４３】
プリンタは、非平面対象への印刷を可能にするＧａｔｏｃｏｐｙ  Ａ４２６機などの食品グレードのインクジェットプリンタであってもよい。
【０１４４】
印刷は、いくつかの異なるインク、特に異なる色のインクを使用してもよい。
【０１４５】
印刷は、少なくとも３種の、特に少なくとも４、５、６、７、８、９、１０、１１、または１２種の異なる色の化粧品用インクを使用してもよい。
【０１４６】
印刷は、原色を生成する着色インクのみ使用してもよい。変形形態として、印刷は、原色を生成する着色インクと、非原色を生成する少なくとも１種のインクの両方を使用してもよい。
【０１４７】
一変形形態では、印刷は、黒および／または白を生成する着色インクを使用してもよい。
【０１４８】
インクの印刷は、３色または４色の印刷であってもよい。
【０１４９】
印刷することによって得られたパターンは、異なる色のいくつかの領域を含んでいてもよい。変形形態として、印刷することによって得られたパターンは平板な色調である。
【０１５０】
転写面に印刷された化粧品用インクによって形成されたパターンは、何らかのタイプのものであってもよい。
【０１５１】
このパターンは、皮膚の起伏および／または色の不均質性、たとえばしみまたは痣の外観を再現してもよい。
【０１５２】
転写面によって支持される着色インクによって形成されたパターンは、可視領域（４００ｎｍ〜８００ｎｍ）の白色光の下で観察した場合、着色されていてもよい。変形形態として、パターンは、可視領域の白色光の下で無色であるが、ＵＶ（３６５ｎｍ〜４００ｎｍ）への露光など、化学的および／またはエネルギーの刺激に供された場合、たとえば着色インクがフォトクロミックまたは蛍光色素を含有する場合に、着色されたように見えてもよい。
【０１５３】
印刷することによって得られた着色インクは、ハーフトーン画像、たとえば単色または多色画像を形成するように、スポットおよび／またはラスタラインの形で堆積されてもよい。
【０１５４】
転写面に印刷された着色インクによって形成されたパターンは、何らかのタイプのものであってもよい。
【０１５５】
このパターンは、皮膚の起伏および／または色の不均質性、たとえばしみまたは痣の外観を再現してもよい。
【０１５６】
印刷は、幾何学的矯正規則に従ってもよい。施与中に、転写面が変形可能である限り、パターンは幾何学的に変形してもよい（たとえば、２次元の１つで延伸する）。その結果、施与後にパターンが所望のスケールになるように、パターンは幾何学的変形を持つ状態で印刷される（本発明の場合、変形可能な寸法による低減）。幾何学的規則は：処理されるケラチン材料の領域上に転写した後にパターンが所望の形を有するように、普遍的にまたは特異的に、転写面に印刷されるパターンに適用してもよい。そのような矯正規則の使用は、後でわかるように、特にインプリントの形を包含するために、起伏を支持する転写面を有する基材で特に有利である。特に、処理される領域および／または所望のパターンに適合させた特定の幾何学的規則を使用してもよい。
【０１５７】
着色インクは、印刷時に液体であってもよく、たとえば２５℃で１ｍＰａ．ｓから５００ｍＰａ．ｓの範囲、好ましくは１ｍＰ．ｓから３００ｍＰａ．ｓの範囲の粘度を有していてもよい。
【０１５８】
本発明のインクの粘度は、当業者に公知の何らかのプロセスを介して、特に下記の従来のプロセスに従って、測定されてもよい。２５℃で、２００ｒｐｍで回転するスピンドルを備えたＲｈｅｏｍａｔ  １８０粘度計を使用することにより、当業者なら、測定を行うことができるように、それらの一般的知識に基づいて、スピンドルＭ１、Ｍ２、Ｍ３、およびＭ４から粘度を測定するためのスピンドルを選択することができる。
【０１５９】
着色インクはエマルジョンの形をとってもよい。
【０１６０】
有利には、着色インクは、ケラチン材料に施与させた場合、基材上で完全には乾燥しない。着色インクは、ケラチン材料に施与させるとき、流体の形をとってもよい。
【０１６１】
インクが化粧品用トナーの形をとる場合、このトナーは、着色剤の他に、電荷を制御するための化合物、特定の追加の充填剤、潤滑剤、ワックス、および／または結合剤を含んでいてもよい。
【０１６２】
好ましくは、トナーの粒子は１から１６μｍの間の平均サイズを有する。トナーは、たとえば、特に１から１０μｍの間の粒度を持つ顔料からなる。
【０１６３】
転写面によって支持される着色インクのすべてまたは部分は、ケラチン材料への転写によって施与させてもよい。
【０１６４】
一実施形態の実施例では、転写面に最初に存在する着色インクのコートの少なくとも２５質量％、特に５０％、特に７５％、特に実質的にすべては、ケラチン材料への転写によって施与される。
【０１６５】
一実施形態の実施例では、着色インクの施与は、ケラチン材料上に転写面を圧力で施与することによって行われる。
【０１６６】
基材および転写面
一実施形態の実施例では、本発明で使用される基材は、少なくとも１つの半透明または透明な領域を含む。
【０１６７】
半透明または透明な領域では、使用者は、基材を通して見ることが可能になり、したがって化粧品用インクを転写する前に、メイクアップおよび／または処理される表面をより容易に視覚化することが可能になる。したがって半透明または透明な領域の存在は、有利には、ケラチン材料上での精密なメイクアップ結果の生成を容易にするのに寄与する。
【０１６８】
基材の半透明または透明な領域上には、全体としてまたは部分的に化粧品用インクの層を重ねることができ、特に層をオーバーラップさせてもよい。
【０１６９】
化粧品用インクの層は、その全体を、基材の半透明または透明な領域上に重ねてもよい。変形形態として、化粧品用インクの層の一部のみを、基材の透明な領域上に重ねる。
【０１７０】
基材は、透明なまたは半透明の材料で作製されてもよい。この場合、半透明または透明な領域は、基材の全面にわたって拡がる。
【０１７１】
変形形態として、基材は、その面の全体にわたってまたは部分が不透明である。
【０１７２】
基材は、シート形態の材料、特に透明な材料を含んでいてもよい。
【０１７３】
基材は、可撓性シートまたは剛性プレートであってもよい。基材はプラスチック（たとえば、ポリエチレンまたはポリスチレン）で作製されてもよい。基材は織られていても不織であってもよい。基材は有機または無機材料で作製されてもよい。基材はアルミ箔であってもよい。
【０１７４】
基材は、優先的に、非吸収性材料、たとえばプラスチック被膜をベースにする。基材は、有利には、少なくともプリントを受容することが意図される面上が非多孔質である。
【０１７５】
転写面は、毛管作用によって化粧品用インクを保持してもよい。
【０１７６】
転写面は、平面または非平面とすることができる。
【０１７７】
基材の転写面は：アプリケーターローラの外面、アプリケーターパッドの表面、シート形態の要素、パッチ、多孔質フォームの表面、特にスポンジまたはワイプ、粗いブラシ、微細なブラシ、または植毛チップのすべてまたは部分によって画定されてもよい。
【０１７８】
アプリケーターローラは、適正な（ｒｉｇｈｔ）シリンダの形を有していてもよい。一変形形態では、ローラは、不規則なシリンダの形、たとえば砂時計の形を有する。
【０１７９】
一変形形態では、ローラは「プリモールド」され、すなわちローラは、メイクアップされる領域の一般的な形に対応して当初は平らではない形を有し、たとえば唇、眼窩、足首、または前腕の原版である。
【０１８０】
一変形形態では、基材は、メイクアップされる領域のインプリントに対して転写するときにめっきされ、したがって転写面は、メイクアップされる領域の起伏を再現するようになる。
【０１８１】
転写面は、たとえば、アプリケーターローラまたはパッドの表面に取り付けられた変形可能なシートの表面のすべてまたは部分によって画定される。
【０１８２】
転写面は、弾性的に変形可能であってもよい。したがって、第１の構成では、転写面は平らであってもよく、第２の構成では、転写面は湾曲していてもよい。
【０１８３】
一変形形態では、基材は、印刷中に転写面が第１の形をとるように、たとえば実質的に平らになるように、またケラチン材料への着色インクの施与中には、第１の形とは異なる第２の形をとるように構成される。第２の形は、有利には、着色インクでコーティングされることが意図されるケラチン材料の表面の形に対応し、たとえば爪の形または顔の一部に対応する。
【０１８４】
基材は、優先的に、非吸収性材料、たとえばプラスチック被膜をベースにする。基材は有利には、少なくともプリントを受容することが意図される面が非多孔質である。
【０１８５】
一実施形態では、着色インクが頬および／または爪に施与されることが意図される場合、基材は、１ｍｍ以上、特に３ｍｍ、たとえば１から５ｍｍの範囲の厚さを有していてもよい。
【０１８６】
一実施形態の実施例では、着色インクが目の周りの領域および／または唇に施与されることが意図される場合、基材は、３ｍｍ以上、特に１ｍｍ、たとえば３から２０ｍｍの範囲の厚さを有していてもよい。
【０１８７】
一実施形態の実施例では、着色インクが鼻および／または耳の領域に施与されることが意図される場合、基材は、１ｃｍ以上、特に３ｃｍ、たとえば１から４ｃｍの範囲の厚さを有していてもよい。
【０１８８】
したがって基材は、有利には、メイクアップされるケラチン材料の領域に適合される厚さを有する。
【０１８９】
基材の厚さは、転写面に垂直に測定された、その最大寸法に対応する。
【０１９０】
基材は、可変の厚さを有していてもよい。
【０１９１】
基材はプリモールドされていてもよい。
【０１９２】
一実施形態の実施例では、基材は、転写されることが意図されるものと同じインクで印刷されたまたは印刷されていない、表示を含む。表示は、たとえば着色インクでメイクアップされることが意図されるケラチン材料の性質について述べ、または正しい縮尺で、拡大して、縮小して、もしくはその他の状態で示されており、堆積されたパターンには「表を上にして（ｒｉｇｈｔ−ｓｉｄｅ  ｕｐ）」、基材上には「逆さに（ｗｒｏｎｇ−ｓｉｄｅ  ｕｐ）」が示されている。
【０１９３】
一実施形態の実施例では、転写面は、基材の一部から取外し可能である。
【０１９４】
基材は、再使用可能であってもよい。
【０１９５】
たとえば、印刷は基材上で行われ、これは転写のためにアクセス可能であるがプリンタから離れない。したがって使用後に、プリンタを基材に再度統合することができ、清浄化し、新しいプリントの準備をすることができる。
【０１９６】
別の態様によれば、本発明の対象は、前述の本発明によるメーキャッププロセスを行うためのアセンブリであり：
−  転写面と、少なくとも１つのデジタルプリンタを使用して印刷することによって得られた、転写面によって支持される少なくとも１種の化粧品用着色インクのコートとを有する基材を含む、少なくとも１つのデバイス、
−  メイクアップされるケラチン材料の領域上に保護コーティングを形成することが可能な被膜形成ポリマーを含む、少なくとも１種の組成物であって、パッケージアセンブリに収容される組成物
を含む。
【０１９７】
アセンブリは、デバイスおよび組成物を含有するための同じケースを含んでいてもよい。
【０１９８】
アセンブリは、保護コーティングを形成するための手動施与システムを含んでいてもよい。
【０１９９】
中間流体化合物の添加を必要とせずに転写する着色インクの能力の測定
上述のように、着色インクは、特に好ましくは、中間流体化合物を添加せずにケラチン材料上に転写することが可能である。
【０２００】
所与の着色インクがこの性質を有するか否かをチェックするために、表面によって支持された検討中の着色インクのコートを、Ｂｉｏｓｋｉｎ  ｒｅｆ  ＃ｗｈｉｔｅ  ０６１０３１−２というブランド名でＢｅａｕｌａｘ社から販売された人工皮膚のサンプルに接触させて配置する。
【０２０１】
接触は、大気温度および圧力条件下（２０℃および１ｂａｒ）、５０００パスカル（すなわち、５０ｇ／ｃｍ２）の圧力を加えることによって、１秒の時間にわたって行う。中間流体化合物は、接触の前または最中に着色インクにもサンプルにも添加されない。
【０２０２】
視覚評価を行う。
【０２０３】
着色インクがケラチン材料上に転写された場合、着色インクは、中間流体化合物を添加せずにケラチン材料上に転写されることが可能であると見なす。
【０２０４】
本発明は、その非限定的な実現例に関する以下の記述を読むことによって、かつ添付図面を検討することによって、より明瞭に理解することができる。
【図面の簡単な説明】
【０２０５】
【図１】本発明による、メイクアッププロセスで使用されるメイクアップデバイスの実施例を示す図である。
【図２】図１のメイクアップデバイスの、ＩＩ−ＩＩに沿った断面を示す図である。
【図３】本発明による、メイクアッププロセスの実施例の、種々のステップを表す図である。
【図４】本発明による、メイクアッププロセスの実施例の、種々のステップを表す図である。
【図５】本発明による、メイクアッププロセスの実施例の、種々のステップを表す図である。
【図６】本発明による、メイクアッププロセスの実施例の、種々のステップを表す図である。
【図７】本発明による、化粧品用アセンブリの実施例を示す図である。
【図８】本発明によるプロセスを介して得られた、転写メイクアップ施与の実施例を示す図である。
【図９ａ】本発明によるコーティングを持つ、転写メイクアップ施与の実施例を示す図である。
【図９ｂ】本発明によるコーティングを持たない、転写メイクアップ施与の実施例を示す図である。
【発明を実施するための形態】
【０２０６】
図１および図２は、その正面が転写面３を画定する基材２を含む、本発明によるメイクアップデバイス１を示す。デバイス１は、図示されるように、転写面３を画定するただ１つの面を有していてもよく、これは本発明による少なくとも１種の化粧品用着色インクのコート４を支持している。
【０２０７】
一変形形態では、図示しないが、基材２の２つの対向面によって２つの転写面３が画定される。この場合、これらの面は異なる化粧品用インクのコートを支持してもよく、これらのコートはおそらく、それらの色、支持される着色インクの性質、および／または形成されたパターンが異なっている。
【０２０８】
図１および図２に示されるデバイス１では、転写面３によって支持される着色インク４のコートは、デジタルプリンタを使用して印刷することによって堆積され、このプリンタは、たとえばラスターフレームの形で、再現される画像の画素に対応するインクスポットを堆積するものである。このコート４は、ケラチン材料に施与させるときには完全には乾燥しない。
【０２０９】
コート４は、何らかのタイプのパターンを、たとえば図示されるようにハートの形で形成してもよい。
【０２１０】
基材２は、透明なまたは半透明の、かつ全体的にまたは部分的にコート４が重ねられていてもよい、少なくとも１つの不透明ではない領域５を有していてもよい。透明領域５によれば、使用者は、基材２を通して見ることが可能になり、したがって、このデバイスが前記表面上に重ねられた場合、メイクアップされる表面がデバイス１を通して視覚化される。
【０２１１】
コート４のすべては、図示されるように、透明領域５上に重ねられてもよい。一変形形態では、図示しないが、コート４の一部のみが透明領域５上に重ねられる。
【０２１２】
基材２は、透明材料で作製されてもよい。次いで透明領域５は、基材２の全面にわたって拡がる。
【０２１３】
基材２は、表示７、たとえばプリントを保持していてもよく、この表示は、メイクアップのための推奨される位置決めに関する情報、たとえば図示されるような「右頬（ｒｉｇｈｔ  ｃｈｅｅｋ）」という情報、または転写されるパターンの場所および正しい縮尺、縮小またはそうではないものの再現に関する情報、または着色インクでメイクアップされることが意図されるケラチン材料の性質などの情報を与えるものであり、また、カラーリファレンスおよび／またはパターンに関する情報を提供してもよい。
【０２１４】
基材２は、好ましくは可撓性材料で作製される。変形形態として、基材２は、剛性または半剛性材料で作製される。
【０２１５】
コート４上に重ねられた転写３の領域のすべてまたは部分は、好ましくは滑らかであり、１ｍｍ以下、特に１から１００μｍの間、好ましくは５０μｍ以下の粗さを有する。粗さは、粗さ計を使用して測定され、その先端は１０ｍｍの曲率半径を有し、特徴付けられる材料に加えられるその力は６ｍＮである。
【０２１６】
図３から図６は、本発明によるメイクアッププロセスの実施例の様々なステップを概略的に示す。図示されるように、デバイス１を、まず、好ましくは乾燥しているメイクアップされる皮膚Ｐの領域に近付けて、コート４が、メイクアップされる皮膚Ｐの領域に接触させて配置するようにし、次いで使用者は、圧力を加えて、メイクアップされる皮膚Ｐの領域上に着色インクを転写させる。ケラチン材料との接触中、基材２は、好ましくは、転写されるパターンの外観に影響を及ぼさないように、横に動かさない。
【０２１７】
ケラチン材料上に転写されるパターンは、基材２上に存在するとき（すなわち、メイクアップされるケラチン材料上に未だ転写されていないとき）にコート４によって形成されたパターンに対応する。
【０２１８】
次に、図６に示されるように、インク４のコート上に、たとえば上述の本発明による組成物Ｃをスプレーすることによって、コーティング８を形成する。
【０２１９】
インク４のコートは、たとえば、スプレー時には乾燥している。一変形形態では、コーティングは、完全には乾燥していないインクのコート上に形成される。
【０２２０】
組成物Ｃは、たとえば、使用者によって作動される、エアロゾル型の加圧パッケージアセンブリ５０を使用してスプレーする。
【０２２１】
図７は、本発明による化粧品用アセンブリ３０の実施形態の実施例を示す。このアセンブリは、同じケース内に、前述のような複数のデバイス１を含み、各々は基材２の性質または形が異なっており、かつ／またはコート４によって形成されたパターン、特にその形状および／またはその色が異なっている。アセンブリは、ケラチン材料上に転写した後、インクのコート上に保護コーティング８を形成することが意図される、被膜形成組成物Ｃを収容するパッケージアセンブリ５０も含む。図示される実施例では、組成物Ｃはエアロゾル型の容器に収容される。別の変形形態では、組成物はスプレーされず、たとえばコットンウールのパッドまたは微細なブラシで施与される。
【０２２２】
ケースは、インクが乾固しないように耐漏洩性であってもよい。ケースは、早期の転写のリスクが低減するように、インクと転写面以外の面との接触を回避するための手段により作製されてもよい。たとえばケースは、その壁が、インクで覆われた基材の領域からある距離を延びる、熱成形されたシェルを含む。
【０２２３】
（実施例）
（実施例１）（皮膚の場合）
この実施例は、図８に対応する。
【０２２４】
以下の表に示される配合物に対応する４種のインクを調製した：
【０２２５】
【表１】
2020075145.tif 000004
【０２２６】
これらの組成物は、Ｃａｎｏｎプリンタカートリッジに導入され、次いでＣａｎｏｎ  Ｐｉｘｍａ  ＩＰ１００インクジェットプリンタと共に使用される。
【０２２７】
化粧品用インクの２つの同一パターンを、プラスチックシート上に印刷する。
【０２２８】
このプラスチックシートを、皮膚の表面に配置する。シート上への単なる圧力は、インクを転写するのに十分であり、したがって転写によって、２つのパターンの外観が得られる。シートを除去する。
【０２２９】
次いで組成物を、下記の配合物１に従い調製する：
配合物１
Ｅａｓｔｍａｎ  Ｃｈｅｍｉｃａｌ社によってＥａｓｔｍａｎ  ＡＱ  ３８という名称の下で販売されるスルホポリエステル          １５％（固形分）
水                １００％への十分量
【０２３０】
コットンウールのパッドに組成物を浸漬し、２つのパターンの一方の上に配置する。
【０２３１】
次に、２つのパターンに、石けんで洗うことによってストレスをかける。
【０２３２】
配合物１で覆われたパターンは、このストレスに非常に良く耐えることがわかる。
【０２３３】
（実施例２）
プロセスは、実施例１のように行い、２つの同一パターンを皮膚上に生成する。
【０２３４】
次いで下記の配合物を調製し、ラッカー型エアロゾル容器内に入れる。
【０２３５】
配合物２は、２つのパターンの一方の表面に、１００ｃｍ２当たり２ｇの速度でスプレーされる。
配合物２
ＢＡＳＦ社によってＵｌｔｒａｈｏｌｄ  Ｓｔｒｏｎｇという名称の下で販売されるアクリル酸／アクリル酸エチル／Ｎ−ｔｅｒｔ−ブチルアクリルアミドターポリマー  ５ｇ
エタノール                                        ６０ｇ
ＤＭＥ                                            ３５ｇ
【０２３６】
次に、２つのパターンに、一続きの３つの２０分間の浴でストレスをかけ、各浴の間には乾燥を行う。
【０２３７】
配合物２で覆われたパターンは、このストレスに非常に良く耐えることがわかり：それに対してコーティングを持たないパターンは事実上消失し、保護コーティング８で覆われたインク４のコートによって形成されたパターンは、その精度を保持していた。
【０２３８】
（実施例３）
加熱部材を取り除くよう改良された、ＨＰ  ＬａｓｅｒＪｅｔ  Ｐｒｏ  ４００  Ｍ４５１  ＮＷプリンタを使用する。
【０２３９】
電子システムは、加熱ローラを除去した後の動作誤差を防止するよう改良される。温度を測定するために使用されるサーミスタは、特に、加熱ローラが通常遭遇する温度をシミュレートする抵抗で置き換えられる。
【０２４０】
加熱ローラの除去により、トナーを融解させることなく印刷中に機械的ストレスを最小限に抑えることが可能になる。
【０２４１】
下記の調製物を、化粧品用トナーとして使用する：
【０２４２】
ＨＰ  Ｌａｓｅｒ  ｊｅｔ  ｐｒｏ  Ｃｏｌｏｒ  Ｍ４５１ｎｗプリンタのトナーを得る。開いた後、既存の粉末を除去し、フェライト６ｇ、カーボンブラック粉末３３ｇ、および炭酸カルシウム１ｇを含有する粉末（４０ｇ）で置き換え、通気によりブレンドすることによって粉末状にする。
【０２４３】
印刷は、レーザプリンタ用の透明タイプのシート上で行われる。
【０２４４】
印刷されたパターンは、印刷直後に皮膚上に転写することによって施与される。シートは、５秒間にわたり５０ｇ／ｃｍ２の圧力で皮膚上に配置される。次いでシートを除去する。
【０２４５】
メイクアップを完成させるには、樹脂を含有する保護コーティングを形成することが意図される組成物を、３０ｃｍの距離でスプレーする。このために、Ｅｌｎｅｔｔ（登録商標）ブランドのヘアラッカーを使用する。そのまま１分間静置する。次いでメイクアップの施与が終了する。
【０２４６】
「含む（ｃｏｍｐｒｉｓｉｎｇ）」という表現は、「少なくとも１つを含む（ｃｏｍｐｒｉｓｉｎｇ  ａｔ  ｌｅａｓｔ  ｏｎｅ）」同義と理解すべきである。
【０２４７】
「．．．から．．．の間（ｂｅｔｗｅｅｎ．．．ａｎｄ．．．）」または「．．．から．．．の範囲（ｒａｎｇｉｎｇ  ｆｒｏｍ．．．ｔｏ．．．）」という表現は、限界値を含むとして理解すべきである。
【符号の説明】
【０２４８】
１  メイクアップデバイス
２  基材
３  転写面
４  コート
５  透明領域、不透明ではない領域
７  表示
８  コーティング、保護コーティング
３０  化粧品用アセンブリ
５０  パッケージアセンブリ
【図１】
2020075145.tif 000005
【図２】
2020075145.tif 000006
【図３】
2020075145.tif 000007
【図４】
2020075145.tif 000008
【図５】
2020075145.tif 000009
【図６】
2020075145.tif 000010
【図７】
2020075145.tif 000011
【図８】
2020075145.tif 000012
【図９ａ】
2020075145.tif 000013
【図９ｂ】
2020075145.tif 000014
【外国語明細書】
2020075145000001.pdf